(57)【特許請求の範囲】
【請求項１】
挿入部と、
該挿入部が延出する操作部と、
該操作部に第１のケーブルにより接続された本体装置と、
前記挿入部先端で得られた被検体像を撮像信号に変換する撮像素子と、
を有する内視鏡装置において、
前記操作部に対して着脱可能なあるいは固定された表示部と、
前記本体装置に設けられ、前記撮像素子からの撮像信号に基づく映像を前記表示部に表示するために、前記撮像信号を映像信号に変換する撮像信号処理部と、
前記撮像信号処理部からの前記映像信号に対してスケーリング処理を施す映像信号処理部と、
前記スケーリング処理が施された前記映像信号をシリアル信号の形式で送信する送信部と、 
前記表示部の入力側に設けられ、シリアル信号の形式の映像信号をパラレル信号の形式の映像信号に変換して前記表示部に供給するシリアルパラレル変換部と、 
前記表示部へ前記シリアル信号の形式の映像信号を供給するために、前記本体装置と前記表示部とを接続する信号ケーブルとを有し、
前記映像信号処理部は、前記本体装置に着脱可能なユニットに、前記送信部と共に設けられていることを特徴とする内視鏡装置。
【請求項２】
挿入部と、
該挿入部が延出する本体装置と、
該本体装置に第１のケーブルにより接続された操作部と、
前記挿入部先端で得た被検体像を撮像信号に変換する撮像素子と、
を有する内視鏡装置において、
前記操作部に対して着脱可能なあるいは固定された表示部と、
前記本体装置に設けられ、前記撮像素子からの撮像信号に基づく映像を前記表示部に表示するために、前記撮像信号を映像信号に変換する撮像信号処理部と、
前記撮像信号処理部からの前記映像信号に対してスケーリング処理を施す映像信号処理部と、
前記スケーリング処理が施された前記映像信号をシリアル信号の形式で送信する送信部と、
前記表示部の入力側に設けられ、シリアル信号の形式の映像信号をパラレル信号の形式の映像信号に変換して前記表示部に供給するシリアルパラレル変換部と、
前記表示部へ前記シリアル信号の形式の映像信号を供給するために、前記本体装置と前記表示部とを接続する信号ケーブルとを有することを特徴とする内視鏡装置。
【請求項３】
前記映像信号処理部は、前記本体装置に着脱可能なユニットに、前記送信部と共に設けられていることを特徴とする請求項２に記載の内視鏡装置。
【請求項４】
前記表示部が前記操作部に対して着脱可能に設けられている場合、
前記表示部への前記シリアル形式の映像信号を供給するための前記信号ケーブルと、前記表示部への電力供給のための電源線とを含む第２のケーブルを、前記第１のケーブルに係止するための係止部材とを有することを特徴とする請求項１から３のいずれか１項に記載の内視鏡装置。
【請求項５】
前記本体装置に着脱可能なあるいは固定された本体装置用表示部と、前記操作部に対して着脱可能なあるいは固定された前記表示部の解像度が異なる場合に、同一のスケーリング部によりスケーリング処理が行われることを特徴とする請求項１から請求項４のいずれか１つに記載の内視鏡装置。
【発明の詳細な説明】
【技術分野】
【０００１】
本発明は、内視鏡装置に関し、特に、操作部に表示部を有することの可能な内視鏡装置に関する。
【背景技術】
【０００２】
従来より、内視鏡装置は、工業分野、医療分野等で広く使われている。内視鏡装置は、工業分野であれば、ボイラ、タービン、エンジン、化学プラント等の各種プラントの各種機器における、損傷、腐食等の観察、検査等に利用され、医療分野では、体腔内の各種臓器の観察、検査、処置等に利用されている。内視鏡装置は、一般に、観察画像を、動画あるいは静止画の電子データとしての記録する機能を有する。  
特に、工業分野の場合、内視鏡装置は、プラントの現場に持ち込まれ、検査すべき装置の近傍で使用される。ユーザ、ここでは検査者であるエンジニアは、内視鏡装置の、細長い挿入部を機器内に挿入し、モニタに表示された被検体の検査対象部位の画像を観ながら検査をする。
【０００３】
また、工業用の内視鏡装置の挿入部は、非常に長いため、検査対象によっては、挿入部の挿入操作と湾曲部の湾曲操作を行う者と、本体部で記録操作、画像処理操作、計測処理操等を行う者の２名で、それぞれの作業を分担して検査を行う場合がある。
【０００４】
また、一人で観察しながら、挿入操作等を行えるように、操作部にモニタを設けた製品も開発されて製品化されている。  
さらに、モニタとカメラコントロールユニットとの間で、シリアル伝送により映像信号を伝送する技術が提案されている（例えば、特許文献１及び特許文献２参照）。
【特許文献１】特開2003-125279号公報
【特許文献２】特開平10-75440号公報
【発明の開示】
【発明が解決しようとする課題】
【０００５】
しかしながら、２名で検査を分担して行うような場合、モニタが内視鏡装置１台に対して一つしかないと、分担して検査を行う上で効率が良いとはいえなかった。
【０００６】
また、１名で観察しながら、挿入操作等を行えるように、操作部にモニタを設けた製品も開発されて製品化されているが、操作部にモニタを設けると、操作部が重くなり、内視鏡装置の操作性が悪くなるという問題がある。特に、長時間にわたり操作部を把持していると、操作部が重いため、検査者（ユーザ）にとっては、疲労感が大きくなり、検査作業がスムーズに行い難くなってしまう。
【０００７】
本発明は、以上の問題に鑑みてなされたものであり、操作部にモニタを設けたとしても、操作部の重量を重くすることのない内視鏡装置を提供することを目的とする。
【課題を解決するための手段】
【０００８】
本発明の一実施態様に係る内視鏡装置は、挿入部と、該挿入部が延出する操作部と、該操作部に第１のケーブルにより接続された本体装置と、前記挿入部先端で得られた被検体像を撮像信号に変換する撮像素子と、を有する内視鏡装置において、前記操作部に対して着脱可能なあるいは固定された表示部と、前記本体装置に設けられ、前記撮像素子からの撮像信号に基づく映像を前記表示部に表示するために、前記撮像信号を映像信号に変換する撮像信号処理部と、前記撮像信号処理部からの前記映像信号に対してスケーリング処理を施す映像信号処理部と、前記スケーリング処理が施された前記映像信号をシリアル信号の形式で送信する送信部と、 前記表示部の入力側に設けられ、シリアル信号の形式の映像信号をパラレル信号の形式の映像信号に変換して前記表示部に供給するシリアルパラレル変換部と、 前記表示部へ前記シリアル信号の形式の映像信号を供給するために、前記本体装置と前記表示部とを接続する信号ケーブルとを有し、前記映像信号処理部は、前記本体装置に着脱可能なユニットに、前記送信部と共に設けられていることを特徴とする。
【０００９】
本発明の他の実施態様に係る内視鏡装置は、  挿入部と、該挿入部が延出する本体装置と、該本体装置に第１のケーブルにより接続された操作部と、前記挿入部先端で得た被検体像を撮像信号に変換する撮像素子と、を有する内視鏡装置において、前記操作部に対して着脱可能なあるいは固定された表示部と、前記本体装置に設けられ、前記撮像素子からの撮像信号に基づく映像を前記表示部に表示するために、前記撮像信号を映像信号に変換する撮像信号処理部と、前記撮像信号処理部からの前記映像信号に対してスケーリング処理を施す映像信号処理部と、前記スケーリング処理が施された前記映像信号をシリアル信号の形式で送信する送信部と、前記表示部の入力側に設けられ、シリアル信号の形式の映像信号をパラレル信号の形式の映像信号に変換して前記表示部に供給するシリアルパラレル変換部と、前記表示部へ前記シリアル信号の形式の映像信号を供給するために、前記本体装置と前記表示部とを接続する信号ケーブルとを有することを特徴とする。
【発明の効果】
【００１０】
本発明の内視鏡装置によれば、操作部にモニタを設けたとしても、操作部の重量を重くすることがない。
【発明を実施するための最良の形態】
【００１１】
以下、図面を用いて、本発明の実施の形態を説明する。  
（構成）
図１は、本発明の実施の形態に係わる内視鏡装置１の構成を説明するための構成図である。内視鏡装置１は、挿入部１１と、挿入部１１の一端が固定されている操作部１２と、装置本体としてのメインユニット１３と、液晶表示装置（以下、LCDと略す）を有する、メイン表示部１４と、LCDを有する、サブ表示ユニットとしてのサブ表示部１５と、そのサブ表示部１５への映像信号を出力するサブ表示部用映像信号処理ユニット（以下、サブユニットという）１６とを含んで構成されている。操作部１１とメインユニット１３とは、ユニバーサルケーブル１７によって接続されている。サブユニット１６は、メインユニット１３とは別体で、かつメインユニット１３に対して図示しない接続用部材により着脱可能になっており、後述するようにコネクタにより電気的に接続されている。また、本体装置用表示部であるメイン表示部１４は、メインユニット１３に対して、着脱可能に設けられていてもよいし、固定されていてもよい。
【００１２】
操作部１２から延出した挿入部１１は、先端部に、CCD、CMOSセンサ等の撮像素子２１と、照明手段としてのLED２２が設けられている。また、挿入部１１の先端部には、図示しない湾曲部が設けられており、ユーザは、操作部１２の所定の操作ボタン等を操作することによって、挿入部１１の撮像方向を変更するように、湾曲部を湾曲させることができる。
【００１３】
操作部１２には、湾曲部の湾曲動作をさせるための駆動手段としての湾曲モータ２３が設けられている。湾曲モータ２３の軸の回転動作が、湾曲動作のために湾曲用ワイヤ２４の牽引及び弛緩の動作に変換されることによって、湾曲部の湾曲動作が行われる。操作部１２には、他の動作のための種々の操作ボタン等が設けられている。
【００１４】
さらに、操作部１１には、着脱可能に、ここでは着脱自在にサブ表示部１５が取り付けられている。操作部１１には、例えば、固定用の係止部を有する雲台、磁石等の着脱用部材１８が設けられており、ユーザは、サブ表示部１５をその着脱用部材１８に取り付けたり、外したりすることができる。
【００１５】
サブ表示部１５には、メイン表示部１４のLCDパネルよりも小型でかつ軽量のLCDパネル（図示せず）が内蔵され、サブ表示部１５は、コントロールハンドル部としての操作部１２に、後付け、すなわち外付けされる。図示しないLCDパネルは、LCDを含み、デジタルのRGBの映像信号を入力して、映像を表示するパネルである。
【００１６】
ユニバーサルケーブル１７には、撮像素子２１に駆動信号を供給するための信号線、撮像素子２１からの撮像信号を伝送するための信号線、さらにLED２２に駆動信号を供給するための信号線、さらに、湾曲モータ２３への電力供給のための電源線等を含んでいる。
【００１７】
メインユニット１３は、カメラコントロールユニット（以下、CCUという）３１と、映像信号の記録及び再生を行うための記録再生部３２とを含む。撮像信号処理部としてのCCU３１は、撮像素子２１からの撮像信号を受信するCDS及びAGCの回路を含む、CDS/AGC回路部３３と、CDS/AGC回路部３３からの撮像信号を処理するためのDSP（デジタルシグナルプロセッサ）３４とを有する。CCU３１は、撮像信号を映像信号に変換する。さらに、記録再生部３２は、DSP３４からの映像信号を受信するデコーダとしてのA/D変換部３５と、フレームメモリ３６と、エンコーダとしてのD/A変換部３７と、中央処理装置（以下、CPUという）３８と、JPEGコントローラ３９と、メモリカード等の記録媒体４０を装着するためのスロット４１とを有する。A/D変換部３５、フレームメモリ３６、D/A変換部３７、CPU３８及びJPEGコントローラ３９は、互いにバス３２Aによって接続されている。
【００１８】
全体としては、記録再生部３２のCPU３８は、図示しない記憶装置に記憶されたプログラム及びデータを用いて、DSP３４からの映像信号を、A/D変換部３５を介して受信して、フレームメモリ３６に記憶し、フレームメモリ３６に記憶された映像信号をエンコーダ３７を介してメイン表示部１４と、サブユニット１６へ出力する等の処理を実行することができる。すなわち、記録再生部３２の出力であるアナログのY/C信号は、２つに分岐されて、一方は、本体装置用表示部である主観察用のメイン表示部１４へ、他方は、サブユニット１６へ供給される。
【００１９】
また、CPU３８は、記録媒体４０へ静止画を記録し、あるいは記録媒体４０に記憶された静止画のデータを読み出す等の処理を、JPEGコントローラ３９に行わせる等の処理も実行させることができる。CPU３８は、他の処理も実行可能であるが、CPU３８の処理は、ユーザによる操作部１２に対する操作等により、指示されて実行される。
【００２０】
具体的には、撮像素子２１からの撮像信号は、図示しない信号線を介してCCU３１に入力される。CCU３１は、入力された撮像信号に基づいて、標準的なテレビジョン信号であるY/C信号を生成して、記録再生部３２に出力する。
【００２１】
記録再生部３２では、入力されたY/C信号に対して、種々の画像処理を施す。また、記録再生部３２では、JPEG形式での画像データの記録及び再生、メニュー表示、画像計測等の処理も行われる。よって、記録再生部３２は、メニュー表示、計測結果表示等の処理に加えて、文字入力などのための表示処理も行う。
【００２２】
メイン表示部１４は、メイン表示ユニット４２と、デコーダ、スケーリング部等の回路を有する映像信号処理回路４３とを含む。映像信号処理回路４３のデコーダは、A/D変換、Y/C信号をRGB信号に変換する回路であり、映像信号処理回路４３のスケーリング部は、接続されたメイン表示ユニット４２のLCDの解像度、あるいは画素数に応じて、映像データの間引き、拡大補間等の処理を行う回路である。よって、メイン表示ユニット４２は、LCDを有して、メインユニット１３の出力信号を受信する映像信号処理回路４３からの映像信号に基づく映像をLCDに表示することができる。
【００２３】
サブユニット１６は、A/D変換回路と、Y/C信号をRGB信号に変換する変換回路とを有するデコーダ４４と、デコーダ４４からの映像信号について、スケーリング処理を行うスケーリング回路等のスケーリング部４５と、スケーリング部４５からの映像信号をシリアル信号に変換するパラレルシリアル変換部４６と含む、サブ表示部用の映像信号処理回路４７を含む。デコーダ４４では、記録再生部３２からの出力信号がA/D変換され、さらにY/C信号がRGB信号に変換される。
【００２４】
スケーリング部４５では、デコーダ４４の出力信号が入力され、接続されたサブ表示部１５のLCDの解像度すなわち画素数に合わせて、映像データの間引き、あるいは拡大補間の処理が行われる。送信部としてのパラレルシリアル変換部４６では、スケーリング部４５からの出力信号を入力して、LVDS（Low Voltage Differential Signaling）等の所定のデジタルのシリアル信号の形式の映像信号に変換して、ケーブル５８を介してサブ表示部１５に送信する。
【００２５】
なお、サブ表示部１５の大きさ、画素数等は、検査対象或いは検査環境に応じて適したものに適宜変更可能な構成であることが好ましいので、例えば、モニタの解像度を入力あるいは検出する手段を設けることによって、モニタの解像度に対応する操作部１２あるいはCPU３８からの切替信号に応じて、スケーリング部４５が、映像データの間引き、あるいは拡大補間の処理を行うようにしてもよい。
【００２６】
例えば、メイン表示部１４のLCDパネルの解像度が１０２４×７６８の解像度で、サブ表示部１５のLCDパネルの解像度が６４０×４８０の解像度であれば、各映像信号処理回路４３，４７のスケーリング部では、それぞれのLCDパネルに応じた解像度の変換処理を行う。
【００２７】
また、サブユニット１６は、サブ表示部１５への電力供給のための電源４８を有する。その電力は、LCDのバックライト、回路用の電源として利用される。スケーリング部４５は、サブ表示部１５の解像度に応じた画像のサイズに変換する処理部であり、スケーリング処理を行う。
【００２８】
メインユニット１３とメイン表示部１４とは、それぞれに設けられたコネクタ５１と５２に接続されたケーブル５３によって接続されている。映像信号であるY/C信号が、ケーブル５３を介して、メインユニット１３からメイン表示部１４へ供給される。
【００２９】
メインユニット１３とサブユニット１６とは、図示しない固定部材により、着脱自在に接続されている。また、映像信号であるY/C信号が、コネクタ５４と５５を介して、メインユニット１３からサブユニット１６へ供給される。
【００３０】
メインユニット１３、メイン表示部１４及びサブユニット１６の電源は、図示しない電源からそれぞれに供給されている。
【００３１】
サブ表示部１５とサブユニット１６とは、それぞれに設けられたコネクタ５６と５７に接続されたケーブル５８によって接続されている。映像信号であるY/C信号が、ケーブル５８を介して、メインユニット１３からサブ表示部１５へ供給され、かつサブ表示部１５へ電力も、ケーブル５８を介して、メインユニット１３からサブ表示部１５へ供給される。すなわち、ケーブル５８は、映像信号を供給するための信号ケーブルとしての信号線と、電源供給のための電力線を含む複合ケーブルである。
【００３２】
サブ表示部１５は、操作部１２に着脱自在に取り付けられる。サブ表示部１５が操作部１２に取り付けられたときに、ケーブル５８をユニバーサルケーブル１７に沿って這わせるために、ユニバーサルケーブル１７には、ユニバーサルケーブル１７の軸方向に沿って、所定の間隔を持って配置されたフック等の固定部材５９が設けられている。
【００３３】
これは、固定部材５９がないと、２ｍから３ｍあるケーブル５８がメインユニット１３と操作部１２の間で垂れ下がり、ケーブル５８がユーザの内視鏡操作の障害になるのを防止するためである。
【００３４】
従って、ユーザは、サブ表示部１５を操作部１２に取り付けたときには、固定部材５９であるフックにケーブル５８を引っ掛けることにより、ケーブル５８をユニバーサルケーブルに対して固定することができる。また、ユーザは、サブ表示部１５を操作部１２から取り外すときには、固定部材５９であるフック等からケーブル５８を外す。このようにして、サブ表示１５を用いるときであっても、ケーブル５８は、ユニバーサルケーブル１７と一体となるので、内視鏡装置１のユーザにとって、検査をするときにケーブル５８が邪魔になることがない。
【００３５】
さらに、サブ表示部１５は、シリアルパラレル変換部６０を内蔵している。すなわち、シリアルパラレル変換部６０は、ケーブル５９を介してサブユニット１６から供給される、LVDS等の規格に沿った所定のシリアル信号の形式のRGBの映像信号をパラレル信号の形式の映像信号に変換する。すなわち、シリアルパラレル変換部６０は、パラレルシリアル変換部４６の行った変換の逆変換を行う回路である。シリアルパラレル変換部６０のRGBの出力信号は、図示しないLCDパネルに供給されて、LCDパネルは映像を表示する。
【００３６】
（動作）
内視鏡装置１のユーザは、内視鏡装置１の挿入部１１と操作部１２を把持しながら、メイン表示部１４のLCDに表示された内視鏡画像を見ながら、被検体の検査等を行うことができる。
【００３７】
しかし、メイン表示部１４に表示された内視鏡画像を見にくい状況においては、ユーザは、操作部１２にサブ表示部１５を取り付け、そのサブ表示部１４のLCDに表示された内視鏡画像を見ながら、被検体の検査等を行うことができる。
【００３８】
内視鏡検査において、ユニバーサルケーブル１７によっては、操作部１２とメインユニット１３との距離が、例えば２ｍから３ｍになる場合がある。ユニバーサルケーブル１７は太くなればなるほど、重くなる。ユニバーサルケーブル１７が重くなると、内視鏡装置１の操作性を悪化させるので、ユニバーサルケーブル１７は、軽い方が好ましい。
【００３９】
本実施の形態では、サブ表示部１５は、操作部１２に対して着脱可能になっているので、サブ表示部１５を使用しない場合は、従来と同じ重量の操作部とユニバーサルケーブルを把持するので、内視鏡装置１の操作性の低下はない。  
また、サブ表示部１５を使用する場合であっても、サブ表示部１５とサブユニット１６とは、映像信号がシリアル伝送されるケーブル５８によって接続されている。そして、映像信号処理回路４７において、信号処理された映像信号がサブ表示部１５に供給されるので、サブ表示部１５には、シリアルパラレル変換部６０があるだけで、映像信号処理回路４７におけるデコーダ等がないので、サブ表示部１５の重量増加も極めて少ない。特に、シリアルパラレル変換部６０を、１チップの半導体装置で実現すれば、さらなる軽量化、及び小型化を実現することができる。
【００４０】
さらに、サブ表示部１５には、記録再生部３２を介した映像信号が供給されるので、サブ表示部１５には、メニュー表示、画像計測画面等の、種々の情報が付加あるいは重畳された画像が表示される。
【００４１】
また、サブ表示部１５とサブユニット１６とを接続するケーブル５８には、電源線も含まれているので、操作部１２とユニバーサルケーブル１７の構成は、従来の内視鏡装置と同様でよいので、内視鏡装置１のメインユニット１３の回路変更等は不要である。
【００４２】
さらに、ケーブル５８は、電源線とシリアル信号を伝送する信号線のみを有するので、パラレル信号を伝送する信号線を有する場合に比べて、ケーブルの太さも細くなる。よって、フック等の固定部材５９にケーブル５８を引っ掛けても、重量増も少ないので、操作性もよい。
【００４３】
例えば、スケーリング部４５の出力信号をそのままパラレル信号の形で伝送するケーブルにすると、RGBの３原色で、各色が６ビットであれば、ケーブルは、色信号用に１８本の信号線が必要であり、さらに、それぞれの同期信号の信号線も必要なため、計２０本以上の信号線を含むことになる。さらに、パラレル信号の信号線の場合、信号線が長くなると、信号波形の劣化による画質の低下、さらにEMC性能の低下等の問題も生じる。
【００４４】
これに対して、本実施の形態では、映像信号は、LVDS等のデジタルシリアル伝送により伝送されるため、信号線の数の増加も抑えられ、かつ信号波形の劣化による画質の低下を防止し、さらにEMC性能の低下も防ぐことができる。
【００４５】
さらに、本実施の形態によれば、メインユニット１３とサブユニット１６とは着脱自在になっているので、サブ表示部１５を使用しない状況においては、内視鏡装置は、メインユニット１３と、メイン表示部１４と、挿入部１１が延出した操作部１２とから構成される装置となるので、構成も操作性も従来の内視鏡装置と変わらない。
【００４６】
また、サブ表示部１５が操作部１２に設けられれば、メイン表示部１４を不要にすることもできる。
【００４７】
さらになお、サブ表示部１５のLCDパネル自体が、シリアルパラレル変換部を内蔵しているパネルを利用するようにしてもよい。その場合、LCDパネルとは別体のシリアルパラレル変換部６０は不要となり、シリアルパラレル変換部LVDS等のデジタルシリアル信号をLCDパネル等に直接入力して、LCDパネルに映像を表示させることができる。
【００４８】
以上のように、本実施の形態によれば、操作部に表示部を設けて被検体の観察等を行う場合に、今までの内視鏡装置に大きな設計変更を施すこともなく、操作部の重量増が最小限に抑えられているので、ユーザは、その表示部を見ながらの挿入操作、湾曲操作等をスムーズに行うことができ、操作性がよい。  
また、表示部自体も検査環境に応じて種々選択することもできる。
【００４９】
（変形例）
なお、本実施の形態の変形例として、図２から図４のような構成でもよい。
【００５０】
図２は、本実施の形態の第１の変形例の内視鏡装置１Aの構成を説明するための構成図である。図２において、図１と同じ構成要素については、同じ符号を付し説明は省略する。
【００５１】
内視鏡装置１Aでは、サブ表示部１５Aは操作部１２Aに固定され、かつサブ表示部１５Aは、シリアルパラレル変換部を有さず、代わりに操作部１２A内にシリアルパラレル変換部６０が内蔵されている。
【００５２】
また、サブ表示部１５Aと操作部１２Aは、図示しないコネクタにより接続され、内視鏡装置１Aは、そのコネクタを介して、デジタルのRGB信号と電力が、操作部１２Aからサブ表示部１５Aに供給されるように構成されている。
【００５３】
そのため、シリアル信号のための信号線５８Aがユニバーサルケーブル１７内に挿通され、シリアルパラレル変換部６０に接続されている。
【００５４】
なお、サブ表示部１５Aに供給される電力は、操作部１２Aに供給されている電力のための電力線を分岐することによって、供給され得る。通常、操作部１２Aには、湾曲モータ２３用及び図示しないLED駆動用に、５Vあるいは１２Vの電源線がユニバーサルケーブル１７には、挿通されている。その電源線が利用されるので、電源用のユニバーサルケーブル１７内の電源線の数の増加はない。
【００５５】
また、メインユニット１３Aには、CCU３１と、記録再生部３２と、映像信号処理回路４７とが内蔵されている。映像信号処理回路４７のパラレルシリアル変換部４６の出力は、信号線５８Aを介してシリアルパラレル変換部６０に供給される。
【００５６】
以上のように、第１の変形例の内視鏡装置１Aによれば、操作部１２Aにはシリアルパラレル変換部６０が設けられ、メインユニット１３Aにはパラレルシリアル変換部４６が設けられているので、ユニバーサルケーブル１７は、信号ケーブルである信号線５８Aが挿通されても、太くなることがない。さらに、操作部１２Aに固定されるサブ表示部１５Aには、映像信号処理回路４７において画像処理された映像信号が供給されるので、映像信号処理回路４７の画像処理のための処理回路が不要となるので、サブ表示部１５Aは、小型で軽量化を図ることができる。
【００５７】
さらに、本変形例においても、映像信号は、LVDS等のデジタルシリアル伝送により伝送されるため、信号波形の劣化による画質の低下を防止し、さらにEMC性能の低下も防ぐことができる。
【００５８】
次に、本実施の形態の他の変形例として、内視鏡装置は、図３のような構成でもよい。図３は、本実施の形態の第２の変形例の内視鏡装置１Bの構成を説明するための構成図である。図３において、図２と同じ構成要素については、同じ符号を付し説明は省略する。
【００５９】
内視鏡装置１Bでは、操作部１２Bにコネクタ等により接続されたサブ表示部１５Bに内蔵されたLCDパネル自体が、LVDSの規格等のデジタル信号を直接入力できるパネルであるため、操作部１２Bにシリアルパラレル変換部６０が内蔵されていない。すなわち、サブ表示部１５Bの表示パネル自体が、シリアルパラレル変換部を有している。従って、サブ表示部１５Bが操作部１２Bに取り付けられている場合であっても、操作部１２Ｂの重量は、第１の変形例の操作部１２Ａよりもさらに軽量化及び小型化を図ることができる。よって、内視鏡装置１Bの操作性がよい。
【００６０】
さらに、本実施の形態のさらなる他の変形例として、内視鏡装置は、図４のような構成でもよい。図４は、第３の変形例の内視鏡装置１Cを説明するための構成図である。図４において、図２と図３と同じ構成要素については、同じ符号を付し、説明は省略する。
【００６１】
内視鏡装置１Cにおいて、メイン表示ユニット４２Aは、内部にシリアルパラレル変換部（図示せず）を有している。  
内視鏡装置１Cは、バス３２Aに接続された２つのラインメモリ６１，６２を有する。ラインメモリ６１には、パラレルシリアル変換部６３が接続され、ラインメモリ６２には、パラレルシリアル変換部４６が接続されている。パラレルシリアル変換部４６の出力は、サブ表示部１５Bに接続され、パラレルシリアル変換部６３の出力は、メイン表示部１４のメイン表示ユニット４２Aに接続されている。
【００６２】
内視鏡装置１Cは、A/D変換部３５においてアナログ信号をデジタル信号に変換した後、メイン表示部１４とサブ表示部１５Bまでの信号処理は、全てデジタル処理によるため、A/D変換及びD/A変換の繰り返しによる信号の劣化を防ぐように構成されている。
【００６３】
さらに、解像度の異なるメイン表示ユニット４２Aとサブ表示部１５Bに対するスケーリング処理を、同じスケーリング部４５において行うようにしたため、メイン表示ユニット４２Aとサブ表示部１５Bのそれぞれにスケーリング部を設ける必要がなくなり、スケーリング部の削減をしている。
【００６４】
図５は、フレームメモリ３６の構成例を説明するための図である。図６は、フレームメモリ３６A、３６Bの構成例を説明するための図である。図７は、図４の内視鏡装置１Cの処理の流れの例を説明するためのフローチャートである。
【００６５】
内視鏡装置１Cにおいて、A/D変換部３５においてデジタル化された画像データは、フレームメモリ３６に保存される。そして、フレームメモリ３６の内部は、図５に示すように、フレームメモリ領域３６Aと３６Bに分けられており、画像データはフレームメモリ領域３６Aと３６Bの両方に書き込まれる。
【００６６】
図７に沿って説明すると、まずフレームメモリ３６Aに記憶された画像データの先頭の１ライン分のデータを読み出し（ステップS11）、読み出したデータは、スケーリング部４５に伝送される。
【００６７】
スケーリング部４５は、メイン表示ユニット４２Aの解像度に従ってスケーリング処理すなわちスケーリング変換を行う（ステップS12）。スケーリング変換された画像データは、ラインメモリ６１に書き込まれる（ステップS13）。
【００６８】
次に、再びフレームメモリ３６Aに記憶された画像データの先頭の１ライン分のデータが読み出され（ステップS14）、読み出したデータは、スケーリング部４５に伝送される。
【００６９】
スケーリング部４５は、サブ表示部１５Bの解像度に従ってスケーリング処理すなわちスケーリング変換を行う（ステップS15）。スケーリング変換された画像データは、ラインメモリ６２に書き込まれる（ステップS16）。
【００７０】
そして、ラインメモリ６１と６２から、それぞれ同時にデータが読み出され（ステップS17）、パラレルシリアル変換部６３と４６に伝送され、シリアル化される（ステップS18,S19）。
【００７１】
パラレルシリアル変換部６３においてシリアル化されたデータは、メイン表示ユニット４２Aに伝送される。また、パラレルシリアル変換部４６においてシリアル化されたデータは、サブ表示部１５Bに伝送される。
【００７２】
以上の処理を、画像データの各ラインについて行われ、画像データの各ラインのデータがシリアルデータとして、メイン表示ユニット４２Aとサブ表示部１５Bに伝送される。
【００７３】
その結果、メイン表示部１４では、シリアルパラレル変換後、メイン表示部１４の解像度にあった画像データが表示され（ステップS20）、サブ表示部１５Bでは、シリアルパラレル変換後、サブ表示部１５Bの解像度にあった画像データが表示される（ステップS21）。
【００７４】
以上のような構成の第３の変形例によれば、サブ表示部１５Bの小型化、及び軽量化だけでんかう、本体部１３Aの小型化と軽量化を実現することができる。
【００７５】
なお、第１、第２及び第３の変形例に係る内視鏡装置においても、サブ表示部が操作部に設けられれば、メイン表示部１４を不要にすることもできる。
【００７６】
さらになお、第１、第２及び第３の変形例に係る内視鏡装置においても、サブ表示部は、操作部に対して、固定部材により固定されても、あるいは着脱用部材により着脱可能に取り付けられるようにしてもよい。
【００７７】
また、第１、第２及び第３の変形例に係る内視鏡装置においても、メインユニット１３Aは、図１のようなメインユニット１３とサブユニット１６のような分離型にしてもよい。
【００７８】
さらにまた、第１、第２及び第３の変形例に係る内視鏡装置においても、サブ表示部用の電源線を、操作部の湾曲モータ２３等のための電源線とは別に設けて、ユニバーサルケーブル１７内に挿通して、サブ表示部に供給するようにしてもよい。
【００７９】
さらに、上述した実施の形態、第１及び第２の変形例に係る内視鏡装置においても、メイン表示部とサブ表示部が同じ解像度であれば、映像処理回路のデコーダ、スケーリング部等の回路は、共用するようにしてもよい。
【００８０】
なお、上述した実施の形態では、操作部は、挿入部が延出した形態のもので説明したが、これに限られるものではなく、例えば挿入部が延出するメインユニット（本体装置）にケーブルで接続されたリモコンのようなものであってもよい。
【００８１】
また、上述した実施の形態では、撮像素子は、挿入部先端に設けたもので説明したが、これに限られるものではなく、例えばイメージガイドで導かれた被検体像を本体装置内の撮像素子で撮像するものであってもよい。
【００８２】
本発明は、上述した実施の形態に限定されるものではなく、本発明の要旨を変えない範囲において、種々の変更、改変等が可能である。
【００８３】
次に、参考例について説明する。  
特開2004-321491号公報には、明るさ制御のパラメータをテーブルデータ化して詳細な設定ができる技術が提案されている。その提案に係る技術によれば、AGCの最大ゲインも選択レベルに応じて設定できるため、明るさ追従能力が従来より大きく改善することができる。
【００８４】
また、特開2007-37565号公報には、光学アダプタの接続時に、アダプタの種別を判別し、アダプタ毎に異なる映像信号処理を自動的に選択設定し動作させる内視鏡の技術が開示されている。さらに、その提案において、ワイドダイナミックレンジ技術（WDR）動作機能についても詳細に記述されている。
【００８５】
しかし、パイプの内面観察のような周辺部が明るく、中心部が暗いような明暗差のあるような被写体の場合、AGCゲインを高く設定すれば、全体が明るくなるものの、周辺部が明るい場合は周囲部分の測光による影響で、全体の感度があまり上げられない。そのため、結局、暗い中心部を明るくして観察するために、AGCや選択レベルで設定する明るさ目標値やスローシャッターなどの露光制御のためのテーブルのパラメータ値を変更設定しても良好な観察ができなかった。
【００８６】
ところで近年ではワイドダイナミックレンジ技術（以下WDR）が開発され、明暗差を伴うパイプのような被写体でも、周辺部はそのままにして、中心部の暗い部分を高感度にして、輝度を持ち上げ、見やすくする技術が存在する。
【００８７】
しかし、この技術は、複雑な画像処理を行うことによって実現されるため、コスト増になるため、まだ一般的ではなく、高価なTVカメラに搭載されているだけである。  
また、この機能を利用すれば、上述した問題は解決できるものの、常時使用するとなると、画像処理によるデジタルノイズや高感度のためのランダムノイズが増え、常時使用するにはノイズが目立ち、好ましくない画質となっていた。
【００８８】
そこで、WDR機能は使用したい時だけONする使い方が適切であり、特に画質重視の場合はOFF操作をしなければならず、ユーザにとっては使い勝手が悪かった。また、明るさの目標値である選択レベルの操作の他に、WDR機能のON/OFF操作や能力調整も必要で、配管等を検査する検査者が操作しきれない、という問題もあった。
【００８９】
さらにまた、特開2007-37565で示されるようにWDR処理された画像で画像計測処理を行うと、計測精度が低下するという別の問題もある。画像計測処理において、計測用の光学アダプタを挿入部に接続し、三角測量の原理で計測を行うステレオ計測方法が内視鏡では提案されている。
【００９０】
計測点の指定は、画面上に通常カーソルを表示させ、そのカーソルによって操作者が指定することにより行うため、WDRの画像処理された画像の場合、輪郭部分が別のデータで置き換わる場合があり、実際測定しようとした点を正確に指定できないという問題があった。また、画像計測においては、画像処理で置き換わった偽データで画像から演算処理にて長さや面積等を演算処理するため、計測時の精度が悪化する場合があった。このように計測時で精度を維持したい場合はWDR機能はOFFするか、影響ないように弱く動作させることが必要であり、計測と観察を繰り返すような用途の場合、WDR機能のON/OFF操作がいちいち必要になり、操作性が悪い、という問題があった。
【００９１】
そこで、この参考例に係る発明は、このような問題に鑑みなされたものであり、WDR処理による明暗差のある被写体に対しても良好に観察でき、かつ操作性も良く、良好な画質で観察できる明るさ制御にを行うことができる内視鏡装置を提供することを目的とするものである。
【００９２】
そのために、本参考例に係る内視鏡装置では、明るさ制御の目標値として設定された選択レベルと連動して、WDRの効き具合が調整される。WDRの効き具合は、単にON/0FF操作の他に、OFF/ON/レベル１/レベル２というように調整連動するようにしてもよい。
【００９３】
選択レベルが高い時は操作者としては明るさが不足している状況である。よって、選択レベルが１〜7まで可変できる場合、例えば６、７はWDR機能をONさせるようにすれば、WDR機能がOFF（WDR非搭載）機器にくらべ、より明るくでき、観察能力が向上させることができる。しかも操作者はWDR機能がONしていることを意識せずに機器を使用でき、使い勝手が向上する。
【００９４】
あるいは、計測時への影響を自動的に軽減するように動作が行われる。WDR処理は画像処理をしているため、画像の輪郭が別の情報で置き換わる場合があり、特に画像計測時には計測精度が低下する場合がある。計測精度の維持は重要なため、計測時はWDR機能をOFFさせるか、計測精度の影響がないレベルまで能力（効き具合：動作レベル）を落とすように連動が行われる。
【００９５】
以下に説明する参考例では、計測モード設定時に、WDRの能力を制限するように連動が行われる。このようにすることにより、操作者は計測精度の低下を心配せずにWDR機能を使用することができ、内視鏡装置の操作性を大きく向上させることができる。
【００９６】
以下、具体的に、本参考例を説明する。  
（第１参考例）
図８から図１０を用いて、第１参考例を説明する。第１参考例に係る内視鏡装置の構成は、上述した特開2004-321491号公報に開示の内視鏡装置と略同様であり、同様の構成要素については、説明を省略する。
【００９７】
図８は、電子内視鏡装置１０１の構成を示す全体構成図である。電子内視鏡装置１０１は、LED照明内蔵の着脱式光学アダプタ（以下、光学ADという）１０２と、内視鏡の挿入部１０３と、画像処理と操作および装置の制御を行うメインユニット１０４と、操作を行うリモコン１０５と、内視鏡画像を表示する表示部としてのLCD１０６とを有して構成されている。
【００９８】
光学AD１０２には、アダプタの種別を判別するための抵抗１０２ａが内蔵されている。この抵抗の抵抗値は種類の異なる光学AD毎、異なる抵抗値を有しており、接続されるシステム制御部１０４ａにおいて、この抵抗１０２ａの抵抗値または抵抗を流れる電流値、または抵抗の両端の電圧等、抵抗を流れる電流、電圧等の情報を測定し、光学AD１０２の種別を判別するようになっている。操作を行うリモコン１０５には、輝度（以下、BRTと略す）操作スイッチ＋と−のボタンが設けられ、明るさの目標値である選択レベルを可変できるようになっている。ここでは、リモコン１０５では、例えば７段階でレベルを設定できるようになっている。
【００９９】
内視鏡画像は、CCD１０３ａからの信号を画像処理部１０４ｂで一般的なデジタル映像信号に変換し、WDR処理部（WDR：ワイドダイナミックレンジ）１０４ｃへ送られ、WDR処理することによって、LCD１０６の画面上に表示される。またWDR処理部１０４ｃの出力は、画像記録再生部１０４ｄへも送られ、静止画や動画をCFカードやSDカード等の記録媒体１０７へ記録できるように、メディアスロット１０４ｅがメインユニット１０４に設けられている。
【０１００】
WDR処理部１０４ｃや画像処理部１０４ｂは、装置全体の制御を行うシステム制御部１０４ａと接続されており、システム制御部１０４ａからの信号に基づき、信号処理を行う。
【０１０１】
WDR処理部１０４ｃは、画像の明暗差を減らすよう、すなわち抑圧するように、明るい部分の輝度を抑え、暗い部分を持ち上げる、伸張動作の処理を行う。このWDR処理部１０４ｃは、システム制御部１０４ａと接続されており、システム制御部１０４ａからの信号に応じて、WDR機能をOFFしたり、レベル１（弱動作）とレベル２（強動作）を切り替えて実行する。弱と強の違いは、抑圧と伸張の程度の差となるので、レベルの切り替えは、レベルを可変する。程度が大きい程、WDR処理としては効果が大きいが、それに伴い、画像ノイズが増える、輪郭が甘くなる、等のデメリットも大きくなる特性がある。
【０１０２】
さらに、光学AD１０２には、対物光学系１０２ｂと、照明用のLED１０２ｃが設けられている。対物光学系１０２ｂは、挿入部１０３の先端部に設けられたCCD１０３ａの撮像面上に、被写体の像を結像するように設けられている。CCD１０３ａは、メインユニット１０４のCCD駆動部１０４ｆと画像処理部１０４ｂに接続され、LED１０２ｃは、メインユニット１０４のLED駆動部１０４ｇに接続されている。
【０１０３】
次に具体的な動作について図９を含めて説明する。図９は、通常モードにおけるWDRの設定データを説明するための図である。  
BRT操作レベルは、操作者がリモコン１０５のBRT操作スイッチを操作して選択できるようになっている。BRT操作レベルは、１〜7段階で設定できる。この操作は、明るさの目標値を設定するためのもので、１〜7段階で映像信号の出力目標値を変更できるようになっている。
【０１０４】
図９の例では、BRT操作レベルが6と7の時にシステム制御部１０４ａからWDRをONさせる命令をWDR処理部１０４ｃへ送り、WDRをONさせるようになっている。操作レベルが6の時、WDRはレベル１（弱動作）で、操作レベルが7の時はレベル２（強動作）させるようになっている
BRT操選択レベルが６あるいは７の選択となる時は、全体が暗い、あるいは、パイプ観察のように画面周囲は明るいが、中心の暗い部分を少しで明るくしてみたいような場合に操作されることが想定される。このような場合は、暗い部分を伸張させるWDR機能をONさせると、暗い部分が見えるようになり、操作者としてより満足がいく画像の明るさが得られる。
【０１０５】
また、操作者は明るさが満足できない時、リモコン１０５のBRT操作スイッチを操作してBRT操作レベルを操作するが、BRT操作レベルの操作だけで、自動的にWDR機能がON/OFFする。操作者はWDR機能のON,OFFを特別操作せず、WDR機能を使用できるので、操作性が向上する。BRT選択レベルが7の時はさらに明るくしたい場合である。BRT選択レベルが7のときは、WDRを強動作させることで暗い部分の伸張を一層行うことでより明るくすることができる。
【０１０６】
また、BRT操作レベルが5以下の場合は、十分な明るさがすでに得られている場合が多い。BRT操作レベルが5以下の場合は、WDR機能をOFFさせることにより、発生する画像ノイズや輪郭情報の欠落などはない方が好ましいため、システム制御部１０４ａよりWDR処理部１０４ｃへOFF命令を出し、WDR機能をOFFするようにしている。
【０１０７】
以上のように、操作者はWDR機能のON/OFFを意識、操作せずに適切に使えるため、操作性が向上する。
【０１０８】
（第２参考例）
次に、図１０と図１１を用いて第２参考例について説明する。第２の参考例に係る内視鏡装置の構成は、上述した第１参考例の内視鏡装置と略同様であり、同様の構成要素については、説明を省略する。
【０１０９】
図１０は、第２参考例に係る電子内視鏡装置１０１ａの構成を示す全体構成図である。電子内視鏡装置１０１ａのメインユニット１０４は、画像計測部１０４ｈを含み、計測処理を行うことができる。また、計測用のアダプタである計測光学AD１０２ｄが、内視鏡挿入部１０３の先端部に取り付けられる。図１１は、第２参考例に係る計測モードにおけるWDRの設定データの例を説明するための図である。
【０１１０】
次に、図１０と図１１を使って計測モード時の動作の一例を示す。操作者がリモコン１０５の計測指示スイッチである“MEASURE“スイッチを押し、計測モードに入る命令を指示すると、システム制御部１０４ａは、計測モードになるように、画像計測部１０４ｂへ指示を出力する。LCD１０６上には図示しない計測専用画面が表示される。画像計測には、通常複数のモードがあり、電子内視鏡装置１０１ａは、計測光学AD１０２ｄを使った3D計測や、画面上を簡易計測するスケーラー計測、等の複数のモードを有するのが一般的である。ここでは、どの計測モードも一律同じ制御内容としている。
【０１１１】
図１１に示すように、ここでは、計測モードの動作時にはWDR機能は常にOFFするように制御されている。WDR機能を常にOFFすることで計測精度の影響をなくすことができ、操作者は安心して計測操作をすることができる。一旦計測モードからリモコン操作により他のモードに変更されると、第１参考例のような動作にすることができるので、操作者は計測精度の悪化を気にせず、内視鏡を操作でき、使い勝手が良い。
【０１１２】
第２参考例の内視鏡装置は、BRT選択レベルとWDR機能の連動制御は必ずしも必要ではなく、単に計測モード操作の状態のみに応じて、WDR機能のON，OFFが制御される。
【０１１３】
なお、BRT選択レベルが6と7の場合のみ、図１２のような設定制御を行うようにしてもよい。図１２は、第２参考例に係る計測モードにおけるWDRの設定データの他の例を説明するための図である。
【０１１４】
また、上述した第１及び第２参考例で説明してきたように、WDR機能の動作具合は、図１１等のようなテーブルデータとして管理し、かつ記憶されることが好ましい。テーブルデータをシステム制御部１０４ａの図示しない不揮発性メモリに記憶させ、このテーブルデータをシステム制御部１０４ａの図示しないCPUで読み込み、テーブルデータに従った設定を実行するようにしてもよい。
【０１１５】
さらに、複数のテーブルデータを予め用意しておき、例えば、テーブルデータをシーン別に細かく設定するようにしてもよい。その場合、リモコン１０５のMODEスイッチを押して、例えばシーン別にテーブルデータを入れ替えるように動作させれば、さらに使い勝手、操作性を向上させることができる。
【０１１６】
以上のように、上述した２つの参考例によれば、明るさ目標値を設定するBRT選択レベルとWDRの能力とを連動制御するようにしたため、操作者はWDRの能力切替操作を気にせず、明るさ調整を行うことができる。WDR機能を使うことが出来るので、特に明暗差のあるような被写体観察時は、様々な被写体条件で明るさ調整を容易に操作でき、観察操作性が向上する。
【０１１７】
さらに、画像計測を備えた電子内視鏡装置においては、操作者は、計測精度の低下を気にせず、WDR機能を使いこなすことができる。操作者はWDRの能力切替操作を必要としないため、様々な被写体で明るさ調整を容易にできるとともに、WDR機能を誤って使用してしまって計測精度が悪化するようなミス操作を防ぐことができる。  
以上から、上述した２つの参考例には、次の付記に示すような特徴的な構成がある。
【０１１８】
（付記）
付記項１．ワイドダイナミックレンジ(WDR)機能を搭載する電子内視鏡装置は、撮像装置によって得られる画像の自動露光制御を行って画像信号を得、前記画像信号を出力する内視鏡装置であって、
前記自動露光制御のためのパラメータを設定する手段と、
画像のダイナミックレンジを拡大するWDR手段と、
前記パラメータのうち、自動露光制御のための明るさ目標値を手動で調整できる選択レベルを設定する設定手段と、
前記選択レベルに応じて、WDR手段の能力を連動調整する手段を設けたことを特徴とする電子内視鏡装置。
【０１１９】
付記項２．前記選択レベルが高い程、前記WDR手段の能力を高めるように連動調整することを特徴とした付記項1記載の電子内視鏡装置。  
付記項３．画像計測手段と、画像計測手段を実行するための計測操作モードを有する電子内視鏡装置において、
前記計測操作モードを選択した時に、前記WDRの能力を制限するように連動制御したことを特徴とする付記項1、２記載の電子内視鏡装置。
【０１２０】
付記項４．ワイドダイナミックレンジ(WDR)機能を搭載する電子内視鏡装置は、撮像装置によって得られる画像の自動露光制御を行って画像信号を得、前記画像信号を出力する内視鏡装置であって、
前記自動露光制御のためのパラメータを設定する手段と、
画像のダイナミックレンジを拡大するWDR手段と、
画像計測するための計測用光学アダプタが接続された時、前記WDRの能力を制限するように連動制御することを特徴とする電子内視鏡装置。
【０１２１】
付記項５．ワイドダイナミックレンジ(WDR)機能を搭載する電子内視鏡装置は、撮像装置によって得られる画像の自動露光制御を行って画像信号を得、前記画像信号を出力する内視鏡装置であって、
前記自動露光制御のためのパラメータを設定する手段と、
画像のダイナミックレンジを拡大するWDR手段と、
画像計測手段と、
を有し、画像計測手段を実行するための計測操作モードを有し、前記計測操作モードを選択した時に、前記WDRの能力を制限するように連動制御したことを特徴とする電子内視鏡装置。
【図面の簡単な説明】
【０１２２】
【図１】本発明の実施の形態に係わる内視鏡装置の構成を説明するための構成図である。
【図２】本発明の実施の形態の第１の変形例の内視鏡装置の構成を説明するための構成図である。
【図３】本発明の実施の形態の第２の変形例の内視鏡装置の構成を説明するための構成図である。
【図４】本発明の実施の形態の第３の変形例の内視鏡装置を説明するための構成図である。
【図５】本発明の実施の形態の第３の変形例のフレームメモリ３６の構成例を説明するための図である。
【図６】本発明の実施の形態の第３の変形例のフレームメモリ３６A、３６Bの構成例を説明するための図である。
【図７】図４の内視鏡装置の処理の流れの例を説明するためのフローチャートである。
【図８】第１参考例に係る電子内視鏡装置の構成を示す全体構成図である。
【図９】第１参考例に係る通常モードにおけるWDRの設定データを説明するための図である。
【図１０】第２参考例に係る電子内視鏡装置１０１ａの構成を示す全体構成図である。
【図１１】第２参考例に係る計測モードにおけるWDRの設定データの例を説明するための図である。
【図１２】第２参考例に係る計測モードにおけるWDRの設定データの他の例を説明するための図である。
【符号の説明】
【０１２３】
１、１A、１B  内視鏡装置、１１  挿入部、１２、１２A、１２B  操作部、１３，１３A  メインユニット、１４  メイン表示部、１５、１５A、１５B  サブ表示部、１６  サブユニット、１７  ユニバーサルケーブル、２１  撮像素子、２２  LED、２４  湾曲ワイヤ、３１  カメラコントロールユニット、３２  記録再生部、４０  記録媒体、４７  映像信号処理回路、５１、５２、５４〜５７  コネクタ、５３、５８、５８A  ケーブル、５９  固定部材
【図１】
0005289781.tif 000002
【図２】
0005289781.tif 000003
【図３】
0005289781.tif 000004
【図４】
0005289781.tif 000005
【図５】
0005289781.tif 000006
【図６】
0005289781.tif 000007
【図７】
0005289781.tif 000008
【図８】
0005289781.tif 000009
【図９】
0005289781.tif 000010
【図１０】
0005289781.tif 000011
【図１１】
0005289781.tif 000012
【図１２】
0005289781.tif 000013